(57)【要約】【課題】アイドル状態に留まっている間にダウンリンクトラフィックが頻繁に発生する移動端末の管理コスト（ページング処理コストを含む）の低減に寄与する。【解決手段】ネットワークノード（１００、２００、又は３００）は、コネクテッド状態からアイドル状態への移動端末（３００）の状態遷移を決定するために用いられるidle inactivity time（１０１又は３０１）の満了期間を、移動端末（３００）がアイドル状態に留まっている間における移動端末（３００宛てのダウンリンクトラフィックの発生頻度に基づいて決定する。【選択図】図２
2015126349.tif 000002
【特許請求の範囲】
【請求項１】
コネクテッド状態からアイドル状態への移動端末の状態遷移を決定するために用いられるidle inactivity timerの満了期間を、前記移動端末が前記アイドル状態に留まっている間における前記移動端末宛てのダウンリンクトラフィックの発生頻度に基づいて決定することを備える、
方法。
【請求項２】
前記決定することは、前記発生頻度が大きくなるに従って前記満了期間を長くすることを含む、請求項１に記載の方法。
【請求項３】
前記決定することは、前記発生頻度に加えて、前記移動端末が属するページングエリア内の基地局数に基づいて前記満了期間を決定することを含む、請求項１又は２に記載の方法。
【請求項４】
前記決定することは、前記基地局数が大きくなるに従って前記満了期間を長くすることを含む、請求項３に記載の方法。
【請求項５】
前記発生頻度は、前記移動端末に対するページングの発生頻度によって表される、請求項１〜４のいずれか１項に記載の方法。
【請求項６】
コアネットワークノードによって前記発生頻度を計測すること、及び
前記発生頻度を前記コアネットワークノードから基地局に通知すること、
をさらに備え、
前記決定することは、前記基地局によって前記満了期間を決定することを含む、
請求項１〜５のいずれか１項に記載の方法。
【請求項７】
前記決定することは、コアネットワークノードによって前記満了期間を決定することを含み、
前記方法は、前記コアネットワークノードから前記idle inactivity timerを管理する無線アクセスネットワークノードに対して前記満了期間を通知することをさらに備える、
請求項１〜５のいずれか１項に記載の方法。
【請求項８】
前記満了期間を前記idle inactivity timerに設定することをさらに備える、請求項１〜７のいずれか１項に記載の方法。
【請求項９】
移動端末がアイドル状態に留まっている間における前記移動端末宛てのダウンリンクトラフィックの発生頻度に基づいて決定された満了期間をidle inactivity timerに設定すること、及び
前記idle inactivity timerを用いて、コネクテッド状態からアイドル状態への前記移動端末の状態遷移を制御すること、
を備える、移動端末の状態遷移を制御する方法。
【請求項１０】
前記満了期間は、前記発生頻度が大きくなるに従って長くなるように決定される、請求項９に記載の方法。
【請求項１１】
コネクテッド状態からアイドル状態への移動端末の状態遷移を決定するために用いられるidle inactivity timerの満了期間を、前記移動端末が前記アイドル状態に留まっている間における前記移動端末宛てのダウンリンクトラフィックの発生頻度に基づいて決定する決定部を備える、ネットワークノード。
【請求項１２】
前記決定部は、前記発生頻度が大きくなるに従って前記満了期間を長くするように前記満了期間を決定する、請求項１１に記載のネットワークノード。
【請求項１３】
コネクテッド状態からアイドル状態への移動端末の状態遷移を決定するために用いられるidle inactivity timerと、
前記移動端末が前記アイドル状態に留まっている間における前記移動端末宛てのダウンリンクトラフィックの発生頻度に基づいて決定された満了期間を前記idle inactivity timerに設定する設定部と、
を備える基地局。
【請求項１４】
前記満了期間は、前記発生頻度が大きくなるに従って長くなるように決定される、請求項１３に記載の基地局。
【請求項１５】
制御方法をコンピュータに行わせるためのプログラムであって、
前記制御方法は、コネクテッド状態からアイドル状態への移動端末の状態遷移を決定するために用いられるidle inactivity timerの満了期間を、前記移動端末が前記アイドル状態に留まっている間における前記移動端末宛てのダウンリンクトラフィックの発生頻度に基づいて決定することを含む、
プログラム。
【発明の詳細な説明】
【技術分野】
【０００１】
本出願は、移動通信システムに関し、特にidle inactivity timerの管理に関する。
【背景技術】
【０００２】
多元接続方式の移動通信システムは、時間、周波数、及び送信電力のうち少なくとも１つを含む無線リソースを複数の移動端末の間で共有することで、複数の移動端末が実質的に同時に無線通信を行うことを可能としている。代表的な多元接続方式は、Time Division Multiple Access（TDMA）、Frequency Division Multiple Access（FDMA）、Code Division Multiple Access（CDMA）、若しくはOrthogonal Frequency Division Multiple Access（OFDMA）又はこれらの組み合わせである。本明細書で用いる移動通信システムの用語は、特に断らない限り多元接続方式の移動通信システムを意味する。
【０００３】
移動通信システムは、移動端末及びネットワークを含む。ネットワークは、無線アクセスネットワーク（Radio Access Network（RAN））及びコアネットワーク（Core Network）を含む。移動端末は、RAN及びコアネットワークを介して外部ネットワーク（例えば、 インターネット、パケットデータネットワーク、又はプライベート企業網）と通信する。移動通信システムは、例えば、3rd Generation Partnership Project（3GPP）のUniversal Mobile Telecommunications System（UMTS）又はEvolved Packet System（EPS）である。RANは、例えばUniversal Terrestrial Radio Access Network（UTRAN）、又はEvolved UTRAN（E-UTRAN）である。コアネットワークは、例えば、General Packet Radio Service（GPRS）パケットコア、又はEvolved Packet Core（EPC）である。
【０００４】
移動端末は、一般的に、通信を行うためにアイドル状態からコネクテッド状態に遷移する。そして、移動端末は、コネクテッド状態における通信を終了した後に、コネクテッド状態での無通信期間が所定時間に到達したことに応じてコネクテッド状態からアイドル状態に遷移する。なお、本明細書及び特許請求の範囲で使用するアイドル状態及びコネクテッド状態の用語の定義は以下の通りである。
【０００５】
アイドル状態とは、移動端末と基地局の間の無線接続が解放された状態である。したがって、基地局はアイドル状態の移動端末に関する情報（コンテキスト）を有していない。アイドル状態の移動端末の位置は、コアネットワークにおいて位置登録エリア（e.g. トラッキングエリア又はルーティングエリア）単位で把握されている。コアネットワークは、アイドル状態の移動端末にページングによって到達できる。また、アイドル状態の移動端末は、基地局との間でユニキャストデータ転送を行うことができない。したがって、アイドル状態の移動端末は、ユニキャストデータ転送を行うためにコネクテッド状態に遷移しなければならない。アイドル状態の例は、（１）UTRANにおけるRRC idle state、 （２）E-UTRANにおけるRRC_IDLE state、及び（３）WiMAX（IEEE 802.16-2004）、モバイルWiMAX（IEEE 802.16e-2005）、及びWiMAX2（IEEE 802.16m）における“Idle state”を含む。
【０００６】
これに対してコネクテッド状態は、移動端末が基地局に接続した状態である。したがって、基地局は、コネクテッド状態の移動端末に関する情報（コンテキスト）を保持している。コネクテッド状態の移動端末の位置は、公衆無線通信ネットワークのコアネットワークにおいてセル単位（基地局単位）で把握されている。コネクテッド状態の移動端末は、一般的に、基地局との間でユニキャストデータ転送を行うことができる。ただし、UTRANにおけるCELL_PCH state及びURA_PCH stateは、移動端末のコンテキストが基地局によって保持されているが、アップリンク及びダウンリンクともに移動端末には個別チャネルが割り当てられていない状態である。コネクテッド状態の例は、（１）UTRANにおけるRRC connected state、（２）E-UTRANにおけるRRC_CONNECTED state、及び（３）WiMAX、モバイルWiMAX及びWiMAX2における“Connected state”を含む。なお、UTRANにおけるRRC connected stateは、CELL_DCH state、CELL_FACH state、CELL_PCH sate、及びURA_PCH stateを含む。
【０００７】
モバイルWiMAX、UTRAN、及びE-UTRANの移動端末のように、コネクテッド状態の移動端末は、パワーセービングのために間欠受信（discontinuous reception（DRX））を行ってもよい。E-UTRANでは、コネクテッド状態でのDRXは、RRC_CONNECTED state内のdormant mode（又はDRX mode）として定義されている。モバイルWiMAXでは、コネクテッド状態でのDRXは、Connected state 内のsleep modeとして定義されている。
【０００８】
コネクテッド状態からアイドル状態への移動端末の状態遷移を判定するために無通信期間を計測するタイマは、例えば、idle inactivity timer、RRC inactivity timer、又はuser inactivity timerと呼ばれる。本明細書では、このタイマをidle inactivity timerと呼ぶ。idle inactivity timerは、基地局において管理されてもよいし、移動端末において管理されてもよいし、これら両方でそれぞれ管理されてもよい。
【０００９】
なお、idle inactivity timerは、コネクテッド状態内においてactiveモードからDRXモード（sleep mode 又はdormant mode）に遷移するために無通信期間を計測するタイマ（DRX inactivity timer）とは区別されることに留意するべきである。既に述べたように、アイドル状態は、基地局と移動端末の間の無線接続（i.e. 無線リソース又はRRCコネクション）が解放された状態であるのに対し、コネクテッド状態内のDRXモードは、基地局と移動端末の間の無線接続が維持された状態である点で相違する。
【００１０】
特許文献１〜７は、idle inactivity timerの満了期間（タイマ値と呼ぶこともできる）を様々な指標に基づいて調整することを開示している。特許文献１〜７において、idle inactivity timerの満了期間は、例えば、移動端末の種別、移動速度、移動頻度、通信頻度、通信期間、通信間隔、１通信あたりのデータ量、トラフィックパターン、Transmission Control Protocol（TCP）ヘッダ又はUser Datagram Protocol（UDP）ヘッダに含まれるポート番号、移動端末が起動しているアプリケーションプログラム、バッテリー残量、移動端末のロケーション、時間帯、移動端末が接続する無線アクセスネットワークの種別、基地局の負荷、又はコアネットワーク装置の負荷、に基づいて調整される。
【先行技術文献】
【特許文献】
【００１１】
【特許文献１】特開平１１−３１３３７０号公報
【特許文献２】特開２００３−０３７８７４号公報
【特許文献３】特開２０１１−２５４３７７号公報
【特許文献４】特開２０１３−１４３６７２号公報
【特許文献５】国際公開第２０１２／０９３４３３号
【特許文献６】国際公開第２０１２／０９３４３４号
【特許文献７】国際公開第２０１３／１４０７４３号
【発明の概要】
【発明が解決しようとする課題】
【００１２】
本件発明者は、ページング処理コストを考慮してidle inactivity timerの満了期間を調整することについて検討を行った。既に述べたように、コアネットワークは、アイドル状態の移動端末の位置を複数のセルを含む位置登録エリア（e.g. トラッキングエリア、ルーティングエリア）単位で管理する。モバイルコアネットワークは、アイドル状態の移動端末宛てのダウンリンクトラフィック（i.e. ダウンリンクデータ又は音声着呼（incoming voice call））が到着した場合に、位置登録エリアに基づいて決定されるページングエリア内にページング信号を送信する。ここで、位置登録エリア及びこれに基づいて決定されるページングエリアは、一般的に、複数のセル及び複数の基地局を含むことに留意するべきである。したがって、移動端末に対する頻繁なページングは、ページングを受信するべき移動端末が位置しているセルを管理する１つの基地局の負荷を増加させるだけでなく、ページングエリアに含まれる複数の基地局の負荷を増加させるという問題がある。このため、移動端末に適用されるidle inactivity timerの満了期間を決定する際に、移動端末に対するページングの発生頻度を適切に考慮することが好ましい。
【００１３】
なお、移動端末の通信頻度（またはネットワークへの接続頻度）を考慮してidle inactivity timerの満了期間を決定するだけでは十分ではない可能性があることに留意するべきである。なぜなら、移動端末の通信は、移動端末におけるアップリンクトラフィック（i.e. アップリンクデータ又は音声発呼（outgoing voice call））の発生に応じて移動端末によって自発的に、つまりページングを用いずに開始されることがあるためである。ページングに応じて通信が開始されるケースが移動端末の合計通信回数に対して占める割合は、移動端末の種別、用途、時間帯、又はユーザ等によって異なると考えられる。したがって、例えば、移動端末からネットワークへの接続要求（e.g. RRC Connection Request、又はNAS Service Request）の発生回数又は発生頻度に基づいてidle inactivity timerの満了期間を決定するだけでは、ページング処理コストが十分に考慮されないおそれがある。言い換えると、アイドル状態に留まっている間にダウンリンクトラフィックが頻繁に発生する移動端末の管理コスト（ページング処理コストを含む）が十分に低減されないおそれがある。
【００１４】
特許文献１〜７は、移動端末の通信頻度、基地局の負荷、及びコアネットワーク装置の負荷を含む様々な指標に基づいてidle inactivity timerの満了期間を調整することを開示している。しかしながら、特許文献１〜７は、ページング処理コストを明示的に考慮して移動端末のidle inactivity timerの満了期間を決定することについて開示していない。
【００１５】
したがって、本明細書に開示される実施形態が達成しようとする目的の１つは、アイドル状態に留まっている間にダウンリンクトラフィックが頻繁に発生する移動端末の管理コスト（ページング処理コストを含む）の低減に寄与することが可能な方法、ネットワークノード、基地局、及びプログラムを提供することである。その他の目的又は課題と新規な特徴は、本明細書の記述又は添付図面から明らかにされる。
【課題を解決するための手段】
【００１６】
一実施形態では、方法は、コネクテッド状態からアイドル状態への移動端末の状態遷移を決定するために用いられるidle inactivity timerの満了期間を、前記移動端末が前記アイドル状態に留まっている間における前記移動端末宛てのダウンリンクトラフィックの発生頻度に基づいて決定することを含む。
【００１７】
一実施形態では、方法は、（ａ）移動端末がアイドル状態に留まっている間における前記移動端末宛てのダウンリンクトラフィックの発生頻度に基づいて決定された満了期間をidle inactivity timerに設定すること、及び（ｂ）前記idle inactivity timerを用いて、コネクテッド状態からアイドル状態への前記移動端末の状態遷移を制御すること、を含む。
【００１８】
一実施形態では、ネットワークノードは、コネクテッド状態からアイドル状態への移動端末の状態遷移を決定するために用いられるidle inactivity timerの満了期間を、前記移動端末が前記アイドル状態に留まっている間における前記移動端末宛てのダウンリンクトラフィックの発生頻度に基づいて決定する用構成された決定部を含む。
【００１９】
一実施形態では、基地局は、idle inactivity timer及び設定部を含む。前記idle inactivity timerは、コネクテッド状態からアイドル状態への移動端末の状態遷移を決定するために用いられる。前記設定部は、前記移動端末が前記アイドル状態に留まっている間における前記移動端末宛てのダウンリンクトラフィックの発生頻度に基づいて決定された満了期間を前記idle inactivity timerに設定するよう構成されている。
【００２０】
一実施形態では、プログラムは、制御方法をコンピュータに行わせるための命令群を含む。前記制御方法は、コネクテッド状態からアイドル状態への移動端末の状態遷移を決定するために用いられるidle inactivity timerの満了期間を、前記移動端末が前記アイドル状態に留まっている間における前記移動端末宛てのダウンリンクトラフィックの発生頻度に基づいて決定することを含む。
【発明の効果】
【００２１】
上述の実施形態によれば、アイドル状態に留まっている間にダウンリンクトラフィックが頻繁に発生する移動端末の管理コスト（ページング処理コストを含む）の低減に寄与することが可能な方法、ネットワークノード、基地局、及びプログラムを提供できる。
【図面の簡単な説明】
【００２２】
【図１】第１の実施形態に係る移動通信システムの構成例を示すブロック図である。
【図２】第１の実施形態に係る移動通信システムの動作を示すシーケンス図である。
【図３】第１の実施形態に係る基地局及び移動管理ノードの構成例を示すブロック図である。
【図４】第１の実施形態に係る移動通信システムの構成例を示すブロック図である。
【図５】第２の実施形態に係る移動通信システムの動作を示すシーケンス図である。
【図６】第３の実施形態に係る移動端末の構成例を示すブロック図である。
【発明を実施するための形態】
【００２３】
以下では、具体的な実施形態について、図面を参照しながら詳細に説明する。各図面において、同一又は対応する要素には同一の符号が付されており、説明の明確化のため、必要に応じて重複説明は省略される。
【００２４】
＜第１の実施形態＞
図１は、本実施形態に係る移動通信システムの構成例を示すブロック図である。図１の構成例は、無線アクセスネットワーク（RAN）１０及びコアネットワーク２０を含む。始めに、RAN１０及びコアネットワーク２０の基本的な構成及び機能について説明する。
【００２５】
RAN１０は、基地局１００を含む。基地局１００は、セルを管理し、無線アクセス技術により複数の移動端末３００との間で無線コネクション（e.g. Radio Resource Control（RRC）コネクション）を接続する。移動端末３００は、無線インタフェースを有し、無線アクセス技術によりRAN１０に接続し、RAN１０を介してコアネットワーク２０へ接続する。RAN１０は、例えば、E-UTRAN若しくはUTRAN、又はこれらの組み合わせである。E-UTRANにおいては、基地局１００はEvolved NodeB（eNB）に対応する。UTRANにおいては、基地局１００はRadio Network Controller（RNC）及びNodeBに対応する。
【００２６】
図１の例では、基地局１００は、idle inactivity timer １０１を有し、コネクテッド状態からアイドル状態への移動端末３００の状態遷移を制御する。idle inactivity timer １０１は、コネクテッド状態からアイドル状態への移動端末３００の状態遷移を決定するために使用され、移動端末３００に関するユーザデータの送受信が行われない不活性状態の継続時間（i.e. 無通信期間）を計測する。図１の例では、idle inactivity timer １０１は、基地局１００に配置され、基地局１００によって開始（再開）される。なお、idle inactivity timer １０１は、RAN１０に配置された他のノードに配置されてもよい。
【００２７】
基地局１００は、例えば、ダウンリンク又はアップリンクの無線リソースを移動端末３００にスケジューリングしたことに応答して、移動端末３００のidle inactivity timerを開始（再開）する。これに代えて又はこれと組み合わせて、基地局１００は、例えば、移動端末３００宛てのダウンリンクデータの受信、移動端末３００へのアップリンク送信許可（Uplink Grant）の送信、移動端末３００へのページングメッセージの送信、及び移動端末３００からの無線リソース割り当て要求の受信、のうち少なくとも１つに応じて移動端末３００のidle inactivity timerを開始（再開）してもよい。
【００２８】
idle inactivity timer１０１が満了（expire）すると、移動端末３００は、コネクテッド状態からアイドル状態に遷移する。例えば、基地局１００は、idle inactivity timer１０１の満了（expire）に応答して、移動端末３００に関するコアネットワーク２０とのベアラの解放（release）をコアネットワーク２０（具体的には移動管理ノード２００）に対して要求するとともに、移動端末３００との接続（i.e. RRCコネクション）を解放してもよい。移動端末３００は、基地局との無線接続（i.e. RRCコネクション）の解放に応じて、コネクテッド状態からアイドル状態に遷移すればよい。
【００２９】
コアネットワーク２０は、主に移動通信サービスを提供するオペレータによって管理されるネットワークである。コアネットワーク２０は、例えば、EPSにおけるEPC、若しくはUMTSにおけるGPRSパケットコア、又はこれらの組み合わせである。コアネットワーク２０は、移動端末３００の移動管理及びベアラ管理等を含むコントロールプレーン機能と、移動端末３００と外部ネットワークとの間で送受信されるユーザデータの転送を含むユーザプレーン機能を有する。図１の例では、コアネットワーク２０は、コントロールプレーンのエンティティとして移動管理ノード２００を含む。また、図示は省略されているが、コアネットワーク２０は、ユーザプレーンのエンティティとして少なくとも１つの転送ノードを含む。例えば、UMTSの場合、図示されない転送ノードは、Serving GPRS Support Node（SGSN）のユーザプレーン機能、及びGateway GPRS Support Node（GGSN）を含む。また、EPSの場合、転送ノードは、Serving Gateway（S-GW）及びPacket Data Network Gateway（P-GW）を含む。
【００３０】
移動管理ノード２００は、移動端末３００の移動管理及びベアラ管理（e.g. ベアラ確立、ベアラ構成変更、ベアラ解放）を行う。例えば、UMTSの場合、移動管理ノード２００は、SGSNのコントロールプレーン機能を有する。また、EPSの場合、移動管理ノード２００は、MME（Mobility Management Entity）の機能を有する。移動管理ノード（e.g. MME）２００は、複数の基地局（e.g. eNB）１００と制御インタフェース（e.g. S1-MMEインタフェース）によって接続され、転送ノード（e.g. S-GW）と制御インタフェース（e.g. S11インタフェース）によって接続される。移動管理ノード２００は、移動端末３００とコアネットワーク２０の間のNon-Access Stratum（NAS）メッセージの交換を担う。NASメッセージは、RAN１０で終端されず、RAN１０の無線アクセス方式に依存することなく、移動端末３００とコアネットワーク２０の間で透過的に送受信される制御メッセージである。例えば、移動管理ノード２００は、リソース割り当てを求めるサービス要求メッセージを移動端末３００から受信したことに応じて、コアネットワーク２０とのベアラ設定および移動端末３００との無線ベアラの設定を基地局１００に要求する。
【００３１】
続いて以下では、本実施形態に係るidle inactivity timer １０１の満了期間の決定について説明する。本実施形態では、移動端末３００に適用されるidle inactivity timer １０１の満了期間は、当該移動端末３００がアイドル状態に留まっている間における当該移動端末３００宛てのダウンリンクトラフィックの発生頻度に基づいて決定される。idle inactivity timer １０１の満了期間は、移動端末３００毎に決定される。移動端末３００がアイドル状態に留まっている間における当該移動端末３００宛てのダウンリンクトラフィックの発生頻度は、移動端末３００に対するページングの発生頻度と言い換えることもできる。また、このダウンリンクトラフィックの発生頻度は、移動端末３００への着信（incoming call）の発生頻度と言い換えることもできる。なお、ここでの着信（incoming call）は、音声呼だけでなく、データトラフィックも含む。
【００３２】
移動端末３００に適用されるidle inactivity timer １０１の満了期間は、移動端末３００に対するページングの発生頻度が大きくなるに従って長くなるように決定されるとよい。例えば、idle inactivity timer １０１の満了期間は、移動端末３００に対するページングの発生頻度が相対的に大きい第１の値であるときに、ページングの発生頻度が相対的に小さい第２の値であるときに比べて満了期間が短くなるように決定される。つまり、ページングの発生頻度が大きい移動端末３００に対しては、相対的に長いidle inactivity timer １０１の満了期間が適用される。このような動作によれば、アイドル状態に留まっている間にダウンリンクトラフィックが頻繁に発生する移動端末３００の管理コスト（ページング処理コストを含む）を低減することができる。なぜなら、idle inactivity timer １０１の満了期間を長くすることで移動端末３００がコネクテッド状態に留まる時間が長くなるため、ページングの発生頻度が低減されるためである。
【００３３】
さらに、移動端末３００に適用されるidle inactivity timer １０１の満了期間を決定する際に、移動端末３００が属するページングエリア内の基地局数が考慮されてもよい。具体的には、移動端末３００に適用されるidle inactivity timer １０１の満了期間は、移動端末３００が属するページングエリア内の基地局数が大きくなるに従って長くなるように決定されるとよい。移動端末３００が属するページングエリア内の基地局数が大きいほど、移動端末３００のページング処理コストが大きいと言うことができる。なぜなら、移動端末３００に対する頻繁なページングは、ページングを受信するべき移動端末３００が位置している１つの基地局の負荷を増加させるだけでなく、ページングエリアに含まれる複数の基地局全ての負荷を増加させるためである。したがって、ページングエリア内の基地局数を考慮することによって、移動端末３００のページング処理コストをより正確にidle inactivity timer １０１の満了期間に反映することができる。なお、移動端末３００が属するページングエリア内の基地局数は、移動端末３００が属する位置登録エリア内の基地局数と言い換えることもできる。なぜなら、ページングエリアは位置登録エリアに基づいて決定され、ページングエリアの広さは位置登録エリアの広さを反映しているためである。
【００３４】
上述したidle inactivity timer １０１の満了期間の決定は、一例において、基地局１００によって行われてもよい。この場合、基地局１００は、移動端末３００がアイドル状態である間のダウンリンクトラフィックの発生頻度（言い換えると、ページングの発生頻度）を示すメッセージをコアネットワーク２０（e.g. 移動管理ノード２００）から受信してもよい。さらに、基地局１００は、移動端末３００が属するページングエリア内の基地局数を示すメッセージをコアネットワーク２０（e.g. 移動管理ノード２００）から受信してもよい。基地局１００は、移動端末３００がコネクテッド状態に遷移することを伴う制御手順、例えば移動端末３００のアタッチ手順又はサービス要求手順（ベアラ設定手順）において、ページングの発生頻度およびページングエリア内の基地局数を示すメッセージを移動管理ノード２００から受信してもよい。
【００３５】
これに代えて、idle inactivity timer １０１の満了期間の決定は、コアネットワーク２０内に配置されたコアネットワークノードにおいて行われてもよい。この場合、コアネットワークノード（e.g. 移動管理ノード２００）は、移動端末３００に適用されるidle inactivity timer １０１の満了期間を示すメッセージを、当該移動端末３００と無線接続（e.g. RRCコネクション）を有する基地局１００に送信してもよい。コアネットワークノード（e.g. 移動管理ノード２００）は、移動端末３００がコネクテッド状態に遷移することを伴う制御手順、例えば移動端末３００のアタッチ手順又はサービス要求手順（ベアラ設定手順）において、当該移動端末３００に適用されるべきidle inactivity timer １０１の満了期間を示すメッセージを基地局１００に送信してもよい。
【００３６】
図２は、移動端末３００に適用されるidle inactivity timer １０１の満了期間の更新手順の一例を示すシーケンス図である。図２の例では、基地局１００は、idle inactivity timer １０１を有し、idle inactivity timer １０１の満了期間を決定する。ステップＳ１１では、移動管理ノード２００は、アイドル状態の移動端末３００に対するダウンリンクトラフィックの発生頻度（i.e. 移動端末３００に対するページングの発生頻度）を示すメッセージを基地局１００に送信する。ステップＳ１２では、基地局１００は、移動管理ノード２００から通知された移動端末３００に対するページングの発生頻度に基づいて、当該移動端末３００に適用されるidle inactivity timer １０１の満了期間を決定する。ステップＳ１３では、基地局１００は、決定した満了期間をidle inactivity timer １０１に設定し、idle inactivity timer １０１を用いて移動端末３００のコネクテッド状態からアイドル状態への遷移を制御する。
【００３７】
なお、ステップＳ１１において、移動管理ノード２００は、さらに、移動端末３００が属するページングエリア内の基地局数を基地局１００に通知してもよい。そして、ステップＳ１２において、基地局１００は、移動端末３００に対するページングの発生頻度、及び移動端末３００が属するページングエリア内の基地局数を共に考慮して、当該移動端末３００に適用されるidle inactivity timer １０１の満了期間を決定してもよい。
【００３８】
続いて以下では、基地局１００及び移動管理ノード２００の構成例について説明する。図３は、基地局１００及び移動管理ノード２００の構成例を示すブロック図である。図３に示された移動管理ノード２００は、端末情報管理部２０１及びページング頻度計測部２０２を有する。端末情報管理部２０１は、アイドル状態の移動端末３００のモビリティ管理に必要な情報を管理する。このモビリティ管理に必要な情報は、移動端末３００が属する位置登録エリア（e.g. トラッキングエリア、ルーティングエリア）を示す情報を含む。また、このモビリティ管理に必要な情報は、移動端末３００が属する位置登録エリアに基づいて決定されるページングエリアを示す情報を含んでもよい。移動管理ノード２００は、端末情報管理部２０１によって管理されている情報に基づいて、移動端末３００が属するページングエリア内の基地局数を得ることができる。
【００３９】
ページング頻度計測部２０２は、移動端末３００に対するページングの発生頻度を計測する。言い換えると、ページング頻度計測部２０２は、移動端末３００がアイドル状態に留まっている間における当該移動端末３００に対するダウンリンクトラフィックの発生頻度を計測する。ページング頻度計測部２０２は、図示されていない加入者サーバに接続されてもよい。加入者サーバは、移動端末３００の加入者データを保持するデータベースであり、例えばHome Subscriber Server（HSS）又はHome Location Register（HLR）がこれに相当する。ページング頻度計測部２０２は、移動端末３００がコアネットワーク２０からデタッチすることに応じて、ページング頻度計測部２０２において計測されていた当該移動端末３００に関するページング頻度情報を加入者サーバに退避してもよい。そして、ページング頻度計測部２０２は、移動端末３００がコアネットワーク２０にアタッチするときに、加入者サーバからページング頻度情報を読み出してもよい。このような動作によって、ページング頻度計測部２０２は、アタッチ及びデタッチを繰り返す移動端末３００のページング頻度を長期間にわたって計測することができる。
【００４０】
図３に示された基地局１００は、idle inactivity timer １０１、決定部１０２、及び設定部１０３を有する。idle inactivity timer １０１は、コネクテッド状態からアイドル状態への移動端末３００の状態遷移を制御するために基地局１００において使用される。決定部１０２は、移動端末３００に対するページングの発生頻度および移動端末３００が属するページングエリア内の基地局数を、移動管理ノード２００（端末情報管理部２０１及びページング頻度計測部２０２）から受信する。そして、決定部１０２は、これらの情報に基づいて、移動端末３００に適用されるidle inactivity timer １０１の満了期間を決定する。設定部１０３は、決定部１０２によって決定された満了期間をidle inactivity timer １０１に設定する。
【００４１】
既に述べたように、UMTSの場合、図１に示した基地局１００は、RNC及びNodeBの機能を含む。図４は、UMTSのネットワークの構成例を示している。図４に示すように、idle inactivity timer１０１は、RNCに配置されてもよい。図４の移動管理ノード２００は、SGSNのコントロールプレーン機能に相当する。
【００４２】
続いて以下では、idle inactivity timer１０１の満了期間の決定の具体例についてさらに説明する。基地局１００は、本実施形態で説明された指標（i.e.ページングの発生頻度、及びページングエリア内の基地局数）とは異なる他の指標をさらに用いて、idle inactivity timer１０１の満了期間を決定してもよい。言い換えると、移動端末３００に対するページングの発生頻度を低減することは、idle inactivity timer１０１の満了期間の最適化処理における目標の１つに過ぎない。
【００４３】
基地局１００は、本実施形態で説明された指標を含む複数の指標を用いて、移動端末３００の管理コスト（ページング処理コストを含む）を低減するようにidle inactivity timer１０１の満了期間を最適化してもよい。例えば、基地局１００は、本実施形態で説明された指標（i.e. ページングの発生頻度、及びページングエリア内の基地局数）に基づくページング処理コストに関する目的関数と、その他の管理コスト（e.g. 接続／切断処理コスト、及びハンドオーバ処理コスト）に関する目的関数の加重和によって定義された合成目的関数（コスト関数）を用いてもよい。そして、基地局１００は、この合成目的関数を最小化するように、idle inactivity timer１０１の満了期間を決定してもよい。
【００４４】
例えば、基地局１００は、移動端末３００の接続・切断の発生頻度（言い換えると、アイドル状態とコネクテッド状態の間の状態遷移の発生頻度）をさらに考慮してもよい。移動端末３００の接続・切断の発生頻度は、接続／切断処理コストを表わす指標である。基地局１００は、移動端末３００の接続・切断の発生頻度が大きくなるに従って、idle inactivity timer１０１の満了期間を長くしてもよい。
【００４５】
また、idle inactivity timer１０１の満了期間の決定において、基地局１００は、移動端末３００のハンドオーバの発生頻度をさらに考慮してもよい。ハンドオーバは、コネクテッド状態の移動端末３００のセル間移動（又は基地局間移動）を意味する。移動端末３００のハンドオーバの発生頻度は、ハンドオーバ処理コストを表わす指標である。基地局１００は、移動端末３００のハンドオーバの発生頻度が大きくなるに従って、idle inactivity timer１０１の満了期間を短くしてもよい。
【００４６】
さらにまた、idle inactivity timer１０１の満了期間の決定において、基地局１００は、特許文献１〜７に記載されているその他の様々な指標を考慮してもよい。
【００４７】
＜第２の実施形態＞
本実施形態では、第１の実施形態の変形例について説明する。既に述べたように、idle inactivity timer１０１の満了期間の決定は、移動管理ノード２００等のコアネットワーク２０内に配置されたコアネットワークノード（e.g. 移動管理ノード２００）において行われてもよい。
【００４８】
図５は、idle inactivity timer１０１の満了期間の決定が移動管理ノード２００で行われる場合を示すシーケンス図である。ステップＳ２１では、移動管理ノード２００は、移動端末３００に対するページングの発生頻度に基づいて、当該移動端末３００に適用されるべきidle inactivity timer１０１の満了期間を決定する。移動管理ノード２００は、idle inactivity timer１０１の満了期間の決定において、移動端末３００が属するページングエリア内の基地局数をさらに考慮してもよい。
【００４９】
ステップＳ２２では、移動管理ノード２００は、タイマ更新要求メッセージを基地局１００に送信する。タイマ更新要求メッセージは、対象となる移動端末３００の識別子、及びステップＳ２１で決定されたidle inactivity timer１０１の満了期間を示す。ステップＳ２３では、基地局１００は、移動管理ノード２００からの要求メッセージに応答して、移動端末３００に適用されるidle inactivity timer １０１の満了期間（タイマ値）を更新する。
【００５０】
＜第３の実施形態＞
移動端末３００は、コネクテッド状態からアイドル状態への遷移を自発的に判断するために、idle inactivity timerを有してもよい。第１及び第２の実施形態で説明された技術思想は、移動端末３００に配置されたidle inactivity timerの満了期間を決定するためにも利用できる。図６は、idle inactivity timer ３０１を含む移動端末３００の構成例を示している。決定部３０２は、移動端末３００に対するページングの発生頻度に基づいて、idle inactivity timer ３０１の満了期間を決定する。ページングの発生頻度は、移動端末３００が受信したページングを監視することで、移動端末３００自身によって計測されてもよい。設定部３０３は、決定部３０２によって決定された満了期間をidle inactivity timer ３０１に設定する。
【００５１】
＜その他の実施形態＞
第１〜第３の実施形態では、主にEPS及びUMTSに関する具体例を用いて説明を行った。しかしながら、これらの実施形態は、その他の移動通信システム、例えば、3GPP2 CDMA2000システム（1xRTT、High Rate Packet Data（HRPD））、Global System for Mobile communications（GSM）/General packet radio service（GPRS）システム、モバイルWiMAXシステム、又は等に適用されてもよい。
【００５２】
第１〜第３の実施形態で説明されたidle inactivity timerの満了期間を決定する方法、及びidle inactivity timerを用いて移動端末の状態遷移を制御する方法は、少なくとも１つのプロセッサ（e.g. マイクロプロセッサ、Micro Processing Unit（MPU）、Central Processing Unit（CPU））を含むコンピュータシステムにプログラムを実行させることによって実現されてもよい。具体的には、図２及び図５等を用いて説明されたアルゴリズムをコンピュータシステムに行わせるための命令群を含む１又は複数のプログラムをコンピュータシステムに供給すればよい。
【００５３】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５４】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００５５】
例えば、上記の実施形態の一部又は全部は、以下の付記のようにも記載され得るが、以下には限られない。
【００５６】
（付記１）
コネクテッド状態からアイドル状態への移動端末の状態遷移を決定するために用いられるidle inactivity timerの満了期間を、前記移動端末が前記アイドル状態に留まっている間における前記移動端末宛てのダウンリンクトラフィックの発生頻度に基づいて決定することを備える、
方法。
【００５７】
（付記２）
前記決定することは、前記発生頻度が大きくなるに従って前記満了期間を長くすることを含む、付記１に記載の方法。
【００５８】
（付記３）
前記決定することは、前記発生頻度に加えて、前記移動端末が属するページングエリア内の基地局数に基づいて前記満了期間を決定することを含む、付記１又は２に記載の方法。
【００５９】
（付記４）
前記決定することは、前記基地局数が大きくなるに従って前記満了期間を長くすることを含む、付記３に記載の方法。
【００６０】
（付記５）
前記発生頻度は、前記移動端末に対するページングの発生頻度によって表される、付記１〜４のいずれか１項に記載の方法。
【００６１】
（付記６）
コアネットワークノードによって前記発生頻度を計測すること、及び
前記発生頻度を前記コアネットワークノードから基地局に通知すること、
をさらに備え、
前記決定することは、前記基地局によって前記満了期間を決定することを含む、
付記１〜５のいずれか１項に記載の方法。
【００６２】
（付記７）
前記決定することは、コアネットワークノードによって前記満了期間を決定することを含み、
前記方法は、前記コアネットワークノードから前記idle inactivity timerを管理する無線アクセスネットワークノードに対して前記満了期間を通知することをさらに備える、
付記１〜５のいずれか１項に記載の方法。
【００６３】
（付記８）
前記満了期間を前記idle inactivity timerに設定することをさらに備える、付記１〜７のいずれか１項に記載の方法。
【００６４】
（付記９）
移動端末がアイドル状態に留まっている間における前記移動端末宛てのダウンリンクトラフィックの発生頻度に基づいて決定された満了期間をidle inactivity timerに設定すること、及び
前記idle inactivity timerを用いて、コネクテッド状態からアイドル状態への前記移動端末の状態遷移を制御すること、
を備える、移動端末の状態遷移を制御する方法。
【００６５】
（付記１０）
前記満了期間は、前記発生頻度が大きくなるに従って長くなるように決定される、付記９に記載の方法。
【００６６】
（付記１１）
前記満了期間は、前記発生頻度に加えて、前記移動端末が属するページングエリア内の基地局数に基づいて決定される、付記９又は１０に記載の方法。
【００６７】
（付記１２）
前記満了期間は、前記基地局数が大きくなるに従って長くなるように決定される、付記１１に記載の方法。
【００６８】
（付記１３）
前記発生頻度は、前記移動端末に対するページングの発生頻度によって表される、付記９〜１２のいずれか１項に記載の方法。
【００６９】
（付記１４）
コネクテッド状態からアイドル状態への移動端末の状態遷移を決定するために用いられるidle inactivity timerの満了期間を、前記移動端末が前記アイドル状態に留まっている間における前記移動端末宛てのダウンリンクトラフィックの発生頻度に基づいて決定する決定部を備える、ネットワークノード。
【００７０】
（付記１５）
前記決定部は、前記発生頻度が大きくなるに従って前記満了期間を長くするように前記満了期間を決定する、付記１４に記載のネットワークノード。
【００７１】
（付記１６）
前記決定部は、前記発生頻度に加えて、前記移動端末が属するページングエリア内の基地局数に基づいて前記満了期間を決定する、付記１４又は１５に記載のネットワークノード。
【００７２】
（付記１７）
前記決定部は、前記基地局数が大きくなるに従って前記満了期間を長くするように前記満了期間を決定する、付記１６に記載のネットワークノード。
【００７３】
（付記１８）
前記発生頻度は、前記移動端末に対するページングの発生頻度によって表される、付記１４〜１７のいずれか１項に記載のネットワークノード。
【００７４】
（付記１９）
コネクテッド状態からアイドル状態への移動端末の状態遷移を決定するために用いられるidle inactivity timerと、
前記移動端末が前記アイドル状態に留まっている間における前記移動端末宛てのダウンリンクトラフィックの発生頻度に基づいて決定された満了期間を前記idle inactivity timerに設定する設定部と、
を備える基地局。
【００７５】
（付記２０）
前記満了期間は、前記発生頻度が大きくなるに従って長くなるように決定される、付記１９に記載の基地局。
【００７６】
（付記２１）
前記満了期間は、前記発生頻度に加えて、前記移動端末が属するページングエリア内の基地局数に基づいて決定される、付記１９又は２０に記載の基地局。
【００７７】
（付記２２）
前記満了期間は、前記基地局数が大きくなるに従って長くなるように決定される、付記２１に記載の基地局。
【００７８】
（付記２３）
前記発生頻度は、前記移動端末に対するページングの発生頻度によって表される、付記１９〜２２のいずれか１項に記載の基地局。
【００７９】
（付記２４）
前記発生頻度を示す通知をコアネットワークノードから受信し、前記満了期間を決定する決定部をさらに備える、付記１９〜２３のいずれか１項に記載の基地局。
【００８０】
（付記２５）
前記発生頻度及び前記基地局数を示す通知をコアネットワークノードから受信し、前記満了期間を決定する決定部をさらに備える、付記２１又は２２に記載の基地局。
【００８１】
（付記２６）
前記設定部は、コアネットワークノードから前記満了期間を受信する、付記１９〜２３いずれか１項に記載の基地局。
【００８２】
（付記２７）
制御方法をコンピュータに行わせるためのプログラムであって、
前記制御方法は、コネクテッド状態からアイドル状態への移動端末の状態遷移を決定するために用いられるidle inactivity timerの満了期間を、前記移動端末が前記アイドル状態に留まっている間における前記移動端末宛てのダウンリンクトラフィックの発生頻度に基づいて決定することを含む、
プログラム。
【符号の説明】
【００８３】
１０  無線アクセスネットワーク（RAN）
２０  モバイルコアネットワーク
１００  基地局
１０１  idle inactivity timer
１０２  決定部
１０３  設定部
２００  移動管理ノード
２０１  端末情報管理部
２０２  ページング頻度計測部
３００  移動端末
３０１  idle inactivity timer
３０２  決定部
３０３  設定部
【図１】
2015126349.tif 000003
【図２】
2015126349.tif 000004
【図３】
2015126349.tif 000005
【図４】
2015126349.tif 000006
【図５】
2015126349.tif 000007
【図６】
2015126349.tif 000008